(57)【特許請求の範囲】
【請求項１】
車輪を下面に軸支して移動することができる車体と、車体の上面であって一側に偏位した位置に垂直に立ち上げられ、その長さを上下に伸縮できる伸縮マストと、伸縮マストの頂部に取り付けられ、電力を供給することで点灯する複数のランプを有する投光部と、車体の上面に着脱自在に組み合わされ、それ自体で電力を発生してランプに電力を供給する発電機とから成り、伸縮マストを伸縮させることで投光部を必要とする高さにまで上昇させ、発電機で発生した電力をランプに供給することでランプを発光させて照明することができる照明装置において、投光部には伸縮マストを中心にして左右に複数のランプを配置させてあり、各ランプは三次元の方向に回動できるように支持してあり、使用しない時には各ランプを伸縮マストの方向に折り畳んで収納することができるように構成し、前記伸縮マストの側面には車体の中心方向に向けて吊下げ杆を水平に固着してあり、この吊下げ杆の先端であって車体の中央位置付近と、吊下げ杆の伸縮マストに接近した位置には、それぞれワイヤーを引っかけるための係合部を設けたことを特徴とする照明装置。
【発明の詳細な説明】
【０００１】
【発明が属する技術分野】
本発明は、建築・工事現場や屋外の催物会場などの、配電設備が無い場所で自家発電により投光して照明することができ、それ自体で移動させることができる照明装置に関する。
【０００２】
【従来の技術】
従来より、建設現場や工事現場、或いは屋外での催物会場、さらにはトンネルなどの閉鎖された場所などでは、仮設で使用できる照明装置が利用されている。これは、電力線が未架設の建設現場や工事現場において、夜間における作業の高率化、安全性の確保のために必要となっているからである。また、トンネル内や夜間の屋外で催物を開催する際には、電力線を架設することができないため、架設の照明装置が用いられてた。この照明装置では、自家発電機と組み合わせて一体として使用できる装置であり、それ自体の下部に車輪が取り付けられていて、容易に移動させることができる機能を持つものが盛んに利用されている。このような機構を持った照明装置では、一体となった自家発電機から電力を供給することができ、外部からは何ら電力を供給しなくても作動できる機能を持っている。このため、装置自体をトラックに載置して、照明を必要とする場所にまで容易に移動させることができ、機動性を備えたものである。
【０００３】
このように発電機能を持ち、それ自体を移動させることができる照明装置では、多くは車体に上下に伸縮できるマストを固定してあり、このマストの上端に電球（ハロゲンランプやクリプトンランプが利用されている）を取り付けてあり、車体に固定した発電機から電球に電力を供給する構造であった。マスト上端に取り付けられた電球は、広い範囲に光量を到達させることができるように一灯だけでなく複数灯の電球を配置するように工夫してある。しかし、細長いマストの上端に複数の電球（２灯、４灯、さらには８灯）を取り付けるとなれば、それらが横方向に拡大して配置され、空間に占める専有面積が広くなる。これら複数の電灯を左右に広げたままで移動させると、その空間面積が大きくなり、移動させるには不都合なものであった。さらに、複数の電球を平面的に広げた状態で移動させると、電球又はランプ傘などが他の建造物などに接触することになり、破損などの故障の原因ともなっていた。
【０００４】
また、電球を支える伸縮マストには、上下に三段や四段に伸縮できるテレスコピック状の機構が用いられていた。伸縮マストを複数段に伸縮できるように構成すると、伸縮マストを構成するそれぞれのマストに伸縮動作のための機構を挿入しなければならず、各マストの断面形状は特殊な形に設計しなければならなくなる。このようなマストでは横方向の応力に対して弱いものとなり、大きな荷重に耐えることができにくいものとなっていた。
【０００５】
さらに、通常はこのような照明装置では、車輪を軸支した車体と、エンジンと発電機を内蔵した自家発電機とは分離できるように組み合わせてある。これは、自家発電機はそれだけでユニットとなった市販の商品を購入し、車体を独自に設計して組み立てることが多いからである。また、自家発電機のメンテナンスのために、車体と切り離せる構造が保守に有利であるためでもある。このような構造のため、車体に自家発電機を組み合わせた状態と、自家発電機を車体から分離した状態では、照明装置の重心位置が相違してくることになり、クレーンなどで吊り上げる場合に車体が傾き、吊り上げ作業が不便なものであった。
【０００６】
【発明が解決しようとする課題】
このような理由に鑑み、本願の発明では、複数灯の電球を配置する構造であっても、収納時には各電球を折り畳むことができる構成とし、電球全体の面積を縮小させることができように構成してある。この構成のため、照明をする必要のある場合には複数の電球を広く拡大して配置でき、収納時や運搬時には電球を折り畳んで専有面積を縮小させることができ、電球やランプ傘の破損を防止することができる。
【０００７】
また、伸縮マストを構成するそれぞれのマストは、その断面形状をやや凹型に形成して密閉させてあり、凹部に伸縮の機構を収納できるように構成してある。この構成では、伸縮マストが複数段に組み立てられていても、各マストは密閉した構造を持ち、外部から塵埃が侵入しにくい構造となる。また、各マストは周囲を連続した一体の構造となるため、側面からの応力に対して強くなり、容易には変形することがなくなる特徴を持っている。
【０００８】
さらに、車体を吊り上げる際に使用するワイヤーの引っかけ位置を変更することができるように構成してあるため、車体に自家発電機を組み合わせた場合と、車体から発電機を取り外した場合であっても、それぞれの状態で車体を水平に維持させながら吊り上げることができ、作業を容易にすることができる構造となっている。
【０００９】
【課題を解決するための手段】
本発明は、車輪を下面に軸支して移動することができる車体と、車体の上面であって一側に偏位した位置に垂直に立ち上げられ、その長さを上下に伸縮できる伸縮マストと、伸縮マストの頂部に取り付けられ、電力を供給することで点灯する複数のランプを有する投光部と、車体の上面に着脱自在に組み合わされ、それ自体で電力を発生してランプに電力を供給する発電機とから成り、伸縮マストを伸縮させることで投光部を必要とする高さにまで上昇させ、発電機で発生した電力をランプに供給することでランプを発光させて照明することができる照明装置において、投光部には伸縮マストを中心にして左右に複数のランプを配置させてあり、各ランプは三次元の方向に回動できるように支持してあり、使用しない時には各ランプを伸縮マストの方向に折り畳んで収納することができることを特徴とする照明装置である（請求項１）。
【００１０】
本発明は、前記投光部は、伸縮マストの頂部より水平方向に張り出した横支持棒と、横支持棒の先端にはその軸線とは直角の方向に延長し、かつ、横支持棒に対してその円周方向と直角方向のいずれにも回動自在となるように連結したランプ支持棒と、ランプ支持棒の先端にはその長さ方向に対して回動自在となるように連結したランプ傘と、ランプ傘の内部に収納したランプとから構成されたことを特徴とする照明装置である（請求項２）。
【００１１】
本発明は、前記横支持棒は伸縮マストの左右に一対づつ張り出されていて、各横支持棒の先端にはランプ支持棒がそれぞれ反対方向に一対づつ張り出されていて、各ランプ支持棒の先端の側面にはそれぞれランプ傘が連結されていることを特徴とする照明装置である（請求項３）。
【００１２】
本発明は、前記伸縮マストは外径の異なる複数のマストをテレスコピック状に組み合わせることで形成してあり、最大径のマストは断面四角形の細長い形状をしており、次に径の大きいマストは断面凹形状をしており、その外径を最大径のマストの内径とほぼ同一とした細長い形状をしており、その次に径の大きいマストは断面凹形状をしており、その外径をその次に径の大きいマストの内径とほぼ同一とした細長い形状をしており、以下の径のマストも同じように断面凹形状をしたことを特徴とする照明装置である（請求項４）。
【００１３】
本発明は、前記伸縮マストを構成する各マストは連動して同時に伸縮し、最大径のマストの頂部にはスプロケットを軸支してあり、次に径の大きいマストの下部に連結したチェーンを最大径のマストの頂部に軸支したスプロケットで反転させてあり、次に径の大きいマストの頂部にはスプロケットを軸支してあり、さらに次に径の大きいマストの下部に連結したチェーンを次に径の大きいマストの頂部に軸支したスプロケットで反転させ、そのチェーンの終端を最大径のマストの頂部に連結し、各チェーンはマストの長さ方向に凹部となった空間に挿入したことを特徴とする照明装置である（請求項５）。
【００１４】
本発明は、前記伸縮マストの側面には車体の中心方向に吊下げ杆を水平後方に向けて固着してあり、この吊下げ杆の先端であって車体の中央位置付近と、吊下げ杆の伸縮マストに接近した位置には、それぞれワイヤーを引っかけるための係合部を設けたことを特徴とする照明装置である（請求項６）。
【００１５】
【発明の実施の形態】
以下、本発明の一実施の形態を図面により説明する。図１は発電機を取り外した状態の照明装置を後部から見た斜視図、図２は発電機を取り付けた照明装置を側面から見た側面図、図３は発電機を取り外した状態の照明装置を後部から見た正面図、図４は車体１１の構成を詳しく見せるため、車体の前面より見た斜視図である。
【００１６】
この照明装置は、車体１１、伸縮マスト１２、投光部１３、発電機１４の大きな部材から構成されている。車体１１には、その前後左右に前輪２５、後輪２７を軸支してあり、路面や床面を自由に移動させることができる。この車体１１の後部（図１で左手前側、図２で右側）中央には、上下方向に伸縮する伸縮マスト１２を垂直となるように固定してある。そして、この伸縮マスト１２の最上段のマスト頂部には投光部１３が載置してある。この投光部１３は、複数のハロゲンランプやナトリウムランプを配置してあり、夜間の路面や会場などを照射することができるものである。また、車体１１の上面中央には、長方体形をした発電機１４を載置してある（図２）。この発電機１４は、内部にエンジン、発電機構、燃料タンクなどを収納しており、それ自体で電力を発生することができるものであり、電力線が架設されていない場所でも電力を供給することができる。
【００１７】
次に図１、図２、図３、図４により、車体１１の構成を詳しい説明する。車体１１を構成する骨組みは、各パイプにより成形された主フレーム２１、前フレーム２２、後フレーム２３より構成されている。主フレーム２１は断面角型のパイプを切断して形成してあり、一対の主フレーム２１が平行となるように配置してある。これらの主フレーム２１の先端（図１において右奥側、図２において左側、図４において右手前側）には前フレーム２２が直角となるように結合してあり、主フレーム２１の後部（図１において左手前側、図２において右側、図４において左奥側）は少し上方に持ち上げるように形成してあり、主フレーム２１の後部の上端には後フレーム２３が直角となるように結合してある。この主フレーム２１、前フレーム２２、後フレーム２３により、上方から見て左右の幅が狭いやや長方形をした骨組みが形成されている。
【００１８】
この前フレーム２２の両端には、図４で示すように左右方向にそれぞれシャフト２４が突出してあり、このシャフト２４にはそれぞれ前輪２５が回転自在となるように軸支してある。また、後フレーム２３の左右の下面には、それぞれキャスター２６が水平方向に回転自在となるように軸支してあり、それぞれのキャスター２６には後輪２７が水平方向を軸として回転自在となるように軸支してある。この前輪２５、後輪２７が床面や路面と接触して回転することにより、車体１１は滑らかに移動し、かつ、キャスター２６が水平方向に回動することで車体１１の移動方向を変更させることができるようになっている。さらに、各主フレーム２１のそれぞれの外側には保持樋３３が平行に固着してあり、保持樋３３のそれぞれの前後の下部には発電機１４の車輪を保持するための床を設けてある。
【００１９】
この保持樋３３について詳しく説明すると、保持樋３３は薄肉鋼板を折り曲げてやや樋状に形成してあり、その前後には発電機１４の下面に付けた車輪を載置させることができるようになっている。前述の前フレーム２２の左右の上面にはそれぞれネジ穴３６が開口してあり、このネジ穴３６にはボルト３５をネジ込むことで車輪押え３４を前フレーム２２に固定することができる。この車輪押え３４は薄肉鋼板を折り曲げてやや階段状に形成してあり、発電機１４の前輪を上方から押さえ付け、前輪を保持樋３３と車輪押え３４によって挟持できるようになっている。また、前述した後フレーム２３の上面であってその左右に間には、鉄パイプをややコの字形に折り曲げたアーチ型をしたハンドル３８の下端を固着してあり、このハンドル３８を作業員が押すことで車体１１全体を移動させることができるようになっている。
【００２０】
次に、図１で示すように、後フレーム２３の左右の上面には、ややＬ字形となった回動腕２８の一端がそれぞれ回転自在となるように連結してある。各回動腕２８のそれぞれの先端には垂直方向に回転できるようにスクリュー３０がネジ込んであり、各スクリュー３０の下端には円盤形をした押さえ板３１が連結してある。この回動腕２８は、使用していない時は主フレーム２１側に回転させて収納することができ、照明装置を使用する時には回動腕２８をそれぞれ外側に大きく張り出すことができる。そして、スクリュー３０を回転することで押さえ板３１を地面や床面に密着させ、車体１１が移動しないようにその位置に固定させることができる。
【００２１】
次に、伸縮マスト１２は、それぞれの外径が異なる第一マスト４１、第二マスト４２、第三マスト４３、第四マスト４４をテレスコピック状に組み合わせることで構成されている。この第一マスト４１は、図４で示すように、その下端が車体１１の後方（後フレーム２３に接近した側）の位置にあり、主フレーム２１とは直角となるように垂直に立ち上げて基部が固着してある。この第一マスト４１の内部空間内には第二マスト４２が伸縮自在に収納してあり、第二マスト４２の内部空間内には第三マスト４３が伸縮自在に収納してあり、第三マスト４３の内部空間内には第四マスト４４が伸縮自在に収納してある。これらの第二マスト４２、第三マスト４３、第四マスト４４は、それぞれ第一マスト４１に対して上下方向に伸縮することができる。
【００２２】
この第一マスト４１の背面（図１において左手前側、図２において右側）の中央には内部にウオームギアなどを内蔵して回転力を減速させることができるギアボックス４６が固着してあり、ギアボックス４６の背面には内部の歯車を駆動するためのハンドル４７が連結してある。このギアボックス４６の出力は側面よりチェーン４８に伝えられ、このチェーン４８により第一マスト４１の上部の背面に軸支したスプロケット４９が駆動されている。次に、図２、図４で示されるように、第一マスト４１の前側の上部からは水平方向に頑丈な吊下げ杆５１が突出してあり、この吊下げ杆５１の先端部の側面には第一の係合部としてのワイヤー穴５２が開口してある。また、吊下げ杆５１の基部には、Ｕ字型に折り曲げた第二の係合部としての吊り金具５３が固定してある。この第一マスト４１の下部の左右側面には、投光部１３へ電力を安定して供給を制御するための電気機器を収納した制御箱５４が固着してある。そして、第一マスト４１の前側であって吊下げ杆５１より少し下方の位置には、爪を下方に向けた押さえ爪５５が固着してあり、この押さえ爪５５は発電機１４の上面の一部に噛み合うことができ、発電機１４を固定させることができる。
【００２３】
次に、図５、図６、図７により、伸縮マスト１２の内部の構造を詳しく説明し、図８により、伸縮マスト１２を伸縮させるための機構について説明する。
【００２４】
図５は伸縮マスト１２を水平に切断した状態を示す横断面図であり、図６においてＡーＡ方向に矢視した図に対応している。この伸縮マスト１２の基本構造は、内部空洞となった第一マスト４１、第二マスト４２、第三マスト４３、第四マスト４４の四本の四角いパイプから成り、それぞれが上下方向に伸縮できるようにテレスコピック状に組み合わされている。第一マスト４１は、薄肉鋼板により断面を四角形に形状したものであり、その背面の側面の中央には図６で示すように、上端から下方に向けて縦長の開口部６０が形成してあり、この開口部６０により第一マスト４１の内部空間が露出している（他の部分については周りより四角く閉鎖されている）。この開口部６０の左右両側には細長い板状をした一対の軸支片６１が平行となるように固定してあり、軸支片６１間には第一マスト４１の長さ方向とは直角にその軸線を位置させたシャフト６２が回転自在に軸支してある。そして、図５で示すように、このシャフト６２の軸支片６１の間の位置にはスプロケット４９が固着してあり、シャフト６２の外側の先端にはスプロケット６３が固着してある。
【００２５】
次に、第二マスト４２は、薄肉鋼板を折り曲げて形成したもので、その後部を開口した断面がコの字形となった細長い形状をしており、折り曲げた開口端は少し内側に曲げてある。この第二マスト４２の上下方向に細長く開口した空間には、薄肉板金を折り曲げて、両側面を左右に延長させて断面をややコの字形に形成した作動パネル６５を、その突起した部分を第二マスト４２の内部空間に位置するように挿入してある。そして、第二マスト４２の開口の左右の片と作動パネル６５の左右に延びた片とを溶接などで固着することで、両者を筒状をした一体の構造を形成してある。第二マスト４２と作動パネル６５を組み合わせることにより、外部より閉鎖されて内部が空洞となり、その側面の長さ方向の中央が内側に凹んだ四角い筒状をした構造が形成されることになる。なお、第二マスト４２と作動パネル６５で組み立てられた筒状の構造物の外径は、前述の第一マスト４１の内径にほぼ一致するように設定してある。
【００２６】
また、第三マスト４３は、薄肉鋼板を折り曲げて形成したもので、その後部を開口した断面がコの字形となった細長い形状をしており、折り曲げた開口端は少し内側に曲げてある。この第三マスト４３の上下方向に細長く開口した空間には、薄肉板金を折り曲げて、両側面を左右に延長させて断面をややコの字形に形成した作動パネル６６を、その突起した部分を第二マスト４２の内部空間に位置するように挿入してある。そして、第三マスト４３の開口の左右の片と作動パネル６６の左右に延びた片とを溶接などで固着することで、両者を筒状をした一体の構造を形成してある。第三マスト４３と作動パネル６６を組み合わせることにより、外部より閉鎖されて内部が空洞となり、その側面の長さ方向の中央が内側に凹んだ四角い筒状をした構造が形成されることになる。なお、第三マスト４３と作動パネル６６で組み立てられた筒状の構造物の外径は、前述の第二マスト４２の内径にほぼ一致するように設定してある。
【００２７】
さらに、第四マスト４４は、薄肉鋼板を折り曲げて形成したもので、その後部を開口した断面がコの字形となった細長い形状をしており、折り曲げた開口端は少し内側に曲げてある。この第四マスト４４の上下方向に細長く開口した空間には、薄肉板金を折り曲げて、両側面を左右に延長させて断面をややコの字形に形成した作動パネル６７を、その突起した部分を第三マスト４３の内部空間に位置するように挿入してある。そして、第四マスト４４の開口の左右の片と作動パネル６７の左右に延びた片とを溶接などで固着することで、両者を筒状をした一体の構造を形成してある。第四マスト４４と作動パネル６７を組み合わせることにより、外部より閉鎖されて内部が空洞となり、その側面の長さ方向の中央が内側に凹んだ四角い筒状をした構造が形成されることになる。なお、第四マスト４４と作動パネル６７で組み立てられた筒状の構造物の外径は、前述の第三マスト４３の内径にほぼ一致するように設定してある。
【００２８】
なお、前述した作動パネル６５、６６、６７のそれぞれのコの字形に曲げられた凹部の深さは、作動パネル６７における凹部が一番深く、作動パネル６５の凹部が一番浅くなっている。また、各凹部における左右の幅も作動パネル６７が一番広く、作動パネル６５が一番狭くなるように設定してある。このため、各作動パネル６５、６６、６７は干渉せず、作動パネル６７の内部に作動パネル６６を収納することができ、作動パネル６６の内部に作動パネル６５を収納することができるように構成してある。図９は、図５における第一マスト４１、第二マスト４２、第三マスト４３、第四マスト４４及び作動パネル６５、６６、６７を組み合わせて、テレスコピック状に挿入した状態の伸縮マスト１２の上部を模示的に示したものである。
【００２９】
図６は伸縮マスト１２を背面から見た状態を示すものである。第一マスト４１の背面の上部より下方に向け、内部が空洞となったチェーンケース７２が固着してあり、チェーンケース７２の上端開口は開口部６０の下部に一致させてある。このチェーンケース７２はその内部が上下方向に空洞であって、チェーンをその内部に収納することできるもので、図７によりその内部が示されている。また、第一マスト４１の背面のほぼ中央には箱状をしたギアボックス４６が固着してあり、ギアボックス４６の側面からは出力軸７０が突出してあり、出力軸７０の先端にはスプロケット７１が固着してある。このスプロケット７１と第一マスト４１の上部に軸支してあるスプロケット６３との間にはチェーン４８が巻き廻してある。
【００３０】
次に、図７は、図６中でＢーＢ矢視した縦断面図であり、伸縮マスト１２を縦方向に切断して内部の構成を示すものである。
【００３１】
伸縮マスト１２を構成する第一マスト４１、第二マスト４２、第三マスト４３、第四マスト４４はそれぞれ上下方向に伸縮できるように組み合わせてある。第二マスト４２に固着した作動パネル６５の下部には連結片７５が固着してあり、この連結片７５にはチェーン７６の下端が連結してある。このチェーン７６は作動パネル６５の凹部である内部空間に沿って上方に延長しており、第一マスト４１の上部に軸支したスプロケット４９に巻回して下方に向けて反転してある。次いで、チェーン７６は第一マスト４１の上部であってスプロケット４９より下方に軸支したローラー７７の外周に接触させ、さらにチェーン７６はチェーンケース７２の内部空間に案内させてある。この構成のため、スプロケット４９の回転によりチェーン７６が引き上げられると、チェーン７６はチェーンケース７２の内部に順次挿入されることになる。
【００３２】
また、第三マスト４３に固着した作動パネル６６の下部には連結片７８が固着してあり、この連結片７８にはチェーン７９の下端が連結してある。このチェーン７９は作動パネル６６の凹部である内部空間に沿って上方に延長しており、第二マスト４２の上部に軸支したローラー９０に巻回して下方に向けて反転してある。次いで、この反転されたチェーン７９の下端は第一マスト４１の上端に固着してあるテンションボルト９１に連結してある。
【００３３】
同様に、第四マスト４４に固着した作動パネル６７の下部には連結片８２が固着してあり、この連結片８２にはチェーン８３の下端が連結してある。このチェーン８３は作動パネル６７の凹部である内部空間に沿って上方に延長しており、第三マスト４３の上部に軸支したローラー８４に巻回して下方に向けて反転してある。次いで、この反転されたチェーン８３の下端は第二マスト４２の上端に固着してあるテンションボルト８５に連結してある。
【００３４】
次に、図８はこの伸縮マスト１２を作動させるための機構の主要部分を取り出して模試的に示したものである。伸縮マスト１２を構成する構造物は省略してある。
【００３５】
前述した第一マスト４１の背面には回転力の伝達と減速を行うためのギアボックス４６が固定してあり、このギアボックス４６の内部には第一マスト４１の軸線と直角となるようにウオーム８８が回転自在に軸支してあり、ウオーム８８にはハンドル４７が連結してある。このギアボックス４６の内部にはウオーム８８の軸線と交差するように出力軸７０が回転自在に軸支してあり、出力軸７０にはウオームギア８９が固着してある、このウオームギア８９の歯面はウオーム８８に噛み合わせてある。前述の出力軸７０の一端はギアボックス４６の側面に突出しており、この出力軸７０の一端にはスプロケット７１が固着してある。このため、ハンドル４７を回転させるとウオーム８８が回転し、噛み合っているウオームギア８９がウオーム８８の回転方向とは直角方向に回転され、この回転は大きく減速されることになる。ウオームギア８９の回転力は出力軸７０、スプロケット７１、チェーン４８、スプロケット６３、シャフト６２の順に伝えられ、スプロケット４９を回転させる。このスプロケット４９の外周にはチェーン７６を巻き付けてあるため、スプロケット４９が回転するとこのチェーン７６は引き上げられる。チェーン７６の下端には図７で示すように連結片７５を介して作動パネル６５に連結してあるため、作動パネル６５と第二マスト４２は第一マスト４１よりも上方に向けて持ち上げられる。
【００３６】
この第二マスト４２の上昇と連動して、図７で示すローラー９０が上方に持ち上げれる。ローラー９０の外周にはチェーン７９が巻き付けてあるが、このチェーン７９の一端は第一マスト４１に固定されているテンションボルト９１に連結されているため、チェーン７９の一端はその位置を変えることができない。相対的に、チェーン７９の他端が上方に引き上げられ、チェーン７９の他端に連結片７８を介して連結した作動パネル６６を上方に引上げ、同時に、作動パネル６６に連結した第三マスト４３を第二マスト４２に対して上方に引き上げることになる。また、第三マスト４３が上昇すると、同様にして、図７で示すローラー８４が上方に持ち上げられる。ローラー８４の外周にはチェーン８３が巻き付けてあるが、このチェーン８３の一端は第二マスト４２に固定されているテンションボルト８５に連結されているため、チェーン８３の一端はその位置を変えることができない。だが、相対的に、チェーン８３の他端が上方に引き上げられ、チェーン８３の他端に連結片８２を介して連結した作動パネル６７を上方に引上げ、同時に、作動パネル６７に連結した第四マスト４４を第三マスト４３に対して上方に引き上げることになる。このような連動した動作によって、第一マスト４１から第二マスト４２、第三マスト４３、第四マスト４４が同時に、それぞれ同じ速度で上方に引き上げられ、それぞれの伸長量は同一となる。
【００３７】
次に、図１０、図１１、図１２は前述した投光部１３の構成を詳しく説明するものである。本実施の形態における投光部１３は、四つのランプを保持しており、各ランプはそれぞれがその投光方向を変更することができ、照射する位置を自由に変更することができるものである。図１０は、各ランプをそれぞれ同じ方向に向けて照射の動作を行っている状態を示すものであり、図１１は図１０中において左半分のランプの支持機構を分解して示したものであり、図１２は各ランプをそれぞれ下方に折り曲げて対向させ、収納した状態をしめすものである。
【００３８】
図１０において、第四マスト４４の上端にはやや四角形状をしたマストトップ９５が載置してあり、このマストトップ９５で第四マスト４４の上端開口を閉鎖している。マストトップ９５の両側面には水平に横支持棒９６、９７が左右反対方向に向けて突出してある。この横支持棒９６の先端には四角形状をした回動ジョイント９８が横支持棒９６の軸線の周りで回転自在となるように連結してあり、この回動ジョイント９８の上下の平面にはアーム状をしたランプ支持棒１０１と１０２が反対方向に向けて回転自在に連結してある。この構成により、横支持棒９６の軸線と各ランプ支持棒１０１と１０２の軸線とが直角となるように配置され、横支持棒９６とランプ支持棒１０１と１０２とでＴ字形となるように配置されている。そして、回動ジョイント９８が横支持棒９６に対して回転できることから、ランプ支持棒１０１と１０２は横支持棒９６に対して回転することができ、しかも、ランプ支持棒１０１と１０２は回動ジョイント９８に対して回転することができるので、各ランプ支持棒１０１と１０２は二次元方向に自在に回転できることになる。
【００３９】
このランプ支持棒１０１の先端部の外方を向いた側面にはランプ傘１０３が連結してあり、ランプ傘１０３はランプ支持棒１０１の軸線と直角方向に回動できるように連結してある。このため、ランプ傘１０３は横支持棒９６に対して三次元方向に自由に回動することができることになる。このランプ傘１０３は前面が開口したお釜のような形状をしており、その内部中央にはランプ１０５を収納してある。また、ランプ支持棒１０２の先端部の外方を向いた側面にはランプ傘１０４が連結してあり、ランプ傘１０４はランプ支持棒１０２の軸線と直角方向に回動できるように連結してある。このため、ランプ傘１０４は横支持棒９６に対して三次元方向に自由に回動することができることになる。このランプ傘１０４は前面が開口したお釜のような形状をしており、その内部中央にはランプ１０６を収納してある。
【００４０】
また、図１０中で右側の構成では、水平に支持された横支持棒９７の先端には回動ジョイント９９を回転自在に連結してあり、回動ジョイント９９の上下の面には細長いアーム状をしたランプ支持棒１１１と１１２が反対方向に向けて連結してある。ランプ支持棒１１１と１１２の軸線と横支持棒９７の軸線を直角に配置してあり、両者はＴ字形となるように構成してあり、各ランプ支持棒１１１と１１２は回動ジョイント９９に対して回転自在に連結してある。このランプ支持棒１１１の先端部の外方を向いた側面にはランプ傘１１３が連結してあり、ランプ傘１１３はランプ支持棒１１１の軸線と直角方向に回動できるように連結してある。このランプ傘１１３は前面が開口したお釜のような形状をしており、その内部中央にはランプ１１５を収納してある。また、ランプ支持棒１１２の先端部の外方を向いた側面にはランプ傘１１４が連結してあり、ランプ傘１１４はランプ傘１１４の軸線と直角方向に回動できるように連結してある。このランプ傘１１４は前面が開口したお釜のような形状をしており、その内部中央にはランプ１１６を収納してある。
【００４１】
このようにして、横支持棒９６、９７、回動ジョイント９８、９９、ランプ支持棒１０１、１０２、１１１、１１２、ランプ傘１０３、１０４、１１３、１１４、ランプ１０５、１０６、１１５、１１６によって投光部１３が構成されている。この内、横支持棒９６、回動ジョイント９８、ランプ支持棒１０１、１０２、ランプ傘１０３、１０４、ランプ１０５、１０６から成る構成と、横支持棒９７、回動ジョイント９９、ランプ支持棒１１１、１１２、ランプ傘１１３、１１４、ランプ１１５、１１６から成る構成は、第四マスト４４を中心にして左右対称形となるように配置されて組み立てられている。
【００４２】
次に、図１１は、前述した図１０における投光部１３の構成の内で左側の機構を詳細に示すものである。この図においては、投光部１３の右側の構成は示されていないが、左右に反転して対称形の同一の構造となっている。
【００４３】
前述した横支持棒９６は丸棒状をしており、その基部がマストトップ９５の側面に固着してあり、その先端の外径は小さく形成されていて挿入部１２１となっている。また、回動ジョイント９８の中央は四角いブロック状の構成であり、その側面中心には水平方向に連通穴１２２が開口してある。この連通穴１２２の内径は挿入部１２１の外径とほぼ同一となるように設定してある。また、回動ジョイント９８の上下の面には丸棒状をした挿入突起１２３、１２４がそれぞれ反対方向に向けて固定してあり、挿入突起１２３、１２４の軸線は連通穴１２２の軸線方向と直角となるように配置してある。前述のランプ支持棒１０１および１０２はアルミ鋳造などにより細長いブロック状に成形したもので、その基部はやや四角形をしていて先端に向けて平坦となるような形状となっている。ランプ支持棒１０１の基部の底面には結合穴１２８が穿ってあり、結合穴１２８の軸線はランプ支持棒１０１の長さ方向に向けてある。そして、ランプ支持棒１０１の先端部の側面には回動穴１２９が貫通して開口してあり、回動穴１２９の軸線はランプ支持棒１０１の長さ方向と直角方向になるように配置してある。同様にして、ランプ支持棒１０２の基部には結合穴１３８が穿ってあり、ランプ支持棒１０２の先端部の側面には回動穴１３９が貫通して開口してある。
【００４４】
前述したランプ傘１０３は、例えば、薄肉のアルミ板をプレス加工によって内部が空間のお碗やお釜のような形状をしており、ランプ傘１０３の側面には丸パイプ状をした保持突起１３０を突出して固着してある。この保持突起１３０の外径は回動穴１２９の内径とほぼ一致させてあり、回動穴１２９の外側から保持突起１３０の先端側を挿入し、回動穴１２９を中心にして保持突起１３０を回転自在に結合してある。この回動穴１２９の内側の側面から突出した保持突起１３０の先端部には、弾性性のある固定リング１３１をその外周に噛み合わせてあり、この固定リング１３１により保持突起１３０がランプ支持棒１０１より脱落することを防止している。同様に、ランプ傘１０４も例えば、薄肉のアルミ板をプレス加工によって内部が空間のお碗やお釜のような形状をしており、ランプ傘１０４の側面には丸パイプ状をした保持突起１４０を突出して固着してある。この保持突起１４０の外径は回動穴１３９の内径とほぼ一致させてあり、回動穴１３９の外側から保持突起１４０の先端側を挿入し、回動穴１３９を中心にして保持突起１４０を回転自在に結合してある。この回動穴１３９の内側の側面から突出した保持突起１４０の先端部には、弾性性のある固定リング１４１をその外周に噛み合わせてあり、この固定リング１４１により保持突起１４０がランプ支持棒１０２より脱落することを防止している。
【００４５】
なお、この図１１では説明していないが、図面では省略してある右側にあるランプ傘１１３、１１４を保持する構成も同様な機構である。図１１で示した構成を左右反転して対称形となるような機構が設けてある。
【００４６】
次に、本実施の形態による照明装置の作用について説明する。
【００４７】
この照明装置は、車体１１と発電機１４を組み合わせて使用することになる。図１、図３、図４では発電機１４が車体１１に搭載されていないが、図２では車体１１上に発電機１４が載置して組み合わせてある状態が示されている。ここで使用する発電機１４は一般に市販されているものであり、外形が立体形をしており、その内部にはエンジン、発電機構、燃料タンクを収納しており、エンジンを作動することにより発電機構よりそれ自体で商用電力を発生させることができる。この発電機１４の下部の四隅には小さな車輪が取りつけてあり、この車輪で路面や床面を転動させることで容易に移動させることができる。
【００４８】
車体１１に発電機１４を組み合わせるには、図４で示すように、車体１１から車輪押え３４を取外し、発電機１４を主フレーム２１の上部に載置する。この発電機１４の後輪を保持樋３３の後側の空間に配置し、発電機１４の前輪を保持樋３３の前側の空間に配置して組み合わせる。この時、発電機１４の後側の上面中央には押さえ爪５５を噛み合わせるように嵌め込む。次いで、発電機１４の前輪を被せるようにして車輪押え３４を接触させ、ボルト３５を車輪押え３４に挿通して、ボルト３５をネジ穴３６にネジ込むことで車輪押え３４を前フレーム２２に固定する。このようにして、発電機１４の後部は押さえ爪５５によって押さえ込まれ、前輪は保持樋３３と車輪押え３４で上下から挟持され、発電機１４は車体１１からは外れないように固定される。発電機１４を車体１１に固定して組み合わせた状態が図２で示される。
【００４９】
この照明装置を屋外の催物会場や建設現場、トンネル内などで使用する場合には、まず、車体１１を路面や床面に固定しなければならない。この車体１１の下面には前輪２５、後輪２７が軸支してあり、ハンドル３８を作業員が押すことにより、車体１１を含めた照明装置全体を軽く移動させることができる。後輪２７を軸支したキャスター２６は水平方向に開動させることができるため、車体１１の方向転換を行うためには、ハンドル３８を押す力の配分を変えることで移動方向を変更することができる。車体１１を含めた照明装置全体を固定しようとする場所で、回動腕２８をそれぞれ左右に開きスクリュー３０をそれぞれ回転させることにより押さえ板３１を路面や床面に接触させる。この押さえ板３１を車体１１より下方に押し下げると、後輪２７が路面や床面より持ち上がり、車体１１を含めた照明装置はその位置で移動しないように固定される。
【００５０】
そして、伸縮マスト１２を伸縮させることにより、ランプ傘１０３、１０４、１１３、１１４の高さ位置を調整することになる。伸縮マスト１２を伸長させるには、作業員がハンドル４７を人力で回転させる。ハンドル４７を回転させると、その回転力は図８で示すようにウオーム８８に伝えられ、ウオーム８８は噛み合ったウオームギア８９を減速して回転させることになる。このウオームギア８９の回転は、出力軸７０、スプロケット７１、チェーン４８、スプロケット６３、シャフト６２を介してスプロケット４９に伝えられ、スプロケット４９を図８中で時計方向に回転させる。すると、回転させられたスプロケット４９はチェーン７６を引き上げ、このチェーン７６はローラー７７で反対方向に転動させられてチェーンケース７２の内部空間に押し込まれる。このチェーン７６の先端には、図７で示すように連結片７５が連結されているため、連結片７５に固着した作動パネル６５を上方に引き上げる。作動パネル６５が引き上げられると、一体となるように組み合わせてある第二マスト４２も同時に上方に引き上げられることになる。
【００５１】
作動パネル６５が引き上げられると、作動パネル６５の上端に軸支してあるローラー９０も同時に上方に引き上げられ、ローラー９０は外周に巻き付けたチェーン７９を上方に押し上げることになる。このチェーン７９の後端はテンションボルト９１に連結してあり、テンションボルト９１は第一マスト４１の上端に固着してあってその位置を変動しないことから、ローラー９０が引き上げられることでチェーン７９の先端が上昇することになる。チェーン７９の先端には連結片７８が連結してあり、この連結片７８には作動パネル６６が固着してあることから、チェーン７９の先端の上昇により作動パネル６６と第三マスト４３は上方に引き上げられることになる。
【００５２】
そして、作動パネル６６が引き上げられると、作動パネル６６の上端に軸支してあるローラー８４も上方に引き上げられる。このローラー８４が引き上げられると、その外周に巻き付けたチェーン８３は上方に押し上げられることになるが、チェーン８３の後端はテンションボルト８５に連結してあり、テンションボルト８５は作動パネル６６の上端に固着してある。このため、チェーン８３の後端は引き上げられず、チェーン８３の先端が引き上げられ、チェーン８３の先端に連結した連結片８２が引き上げられることになる。この連結片８２は作動パネル６７に固着してあることから、作動パネル６７がチェーン８３と共に引き上げられ、作動パネル６７に組み合わせて固着してある第四マスト４４も同時に上方に引き上げられることになる。
【００５３】
このような連動する動作により、第二マスト４２は第一マスト４１から引き上げられ、第三マスト４３は第二マスト４２から引き上げられ、第四マスト４４は第三マスト４３から引き上げられ、各第二マスト４２、第三マスト４３、第四マスト４４は同時に同じ速度で上方に引き上げられることになる。このようにして、第一マスト４１、第二マスト４２、第三マスト４３、第四マスト４４で竹の子状に組立られた伸縮マスト１２が伸長することで、第四マスト４４の上端に付けたマストトップ９５は上方に持ち上げられる。マストトップ９５が所定の高さまで上昇したならハンドル４７の回転を停止させると、ウオーム８８とウオームギア８９が噛み合っていることから、その位置で固定されマストトップ９５は停止し、下降することはなくなる。この停止させられた状態により、マストトップ９５の高さ位置が設定される。
【００５４】
このようにしてマストトップ９５が所定の高さ位置にまで持ち上げられると、図２、図３で示したようにマストトップ９５に連結されているランプ傘１０３、１０４、１１３、１１４は路面や床面より高い位置まで移動持ち上げられたことになり、この位置から照明を必要とする場所に向けられる。この後、発電機１４を起動して自家発電を行ない、発生した電力をランプ傘１０３、１０４、１１３、１１４内に収納してある各ランプ１０５、１０６、１１５、１１６に供給することでそれぞれが点灯し、会場や工事現場などは明るく照射される。
【００５５】
次に、この投光部１３を構成するランプ傘１０３、１０４、１１３、１１４を収納する手順について説明する。図１、図２、図３、図１０ではランプ傘１０３、１０４、１１３、１１４のそれぞれの開口部を前方に向け、特定の場所を照射している動作状態を示すものである。各ランプ傘１０３、１０４、１１３、１１４はほぼ同一の方向に向けられていて、この状態でランプ１０５、１０６、１１５、１１６を点灯すると、前方が照射されることになる。
【００５６】
しかしながら、ランプ傘１０３、１０４、１１３、１１４を左右上下に配列した状態で移動したり保管すると、それぞれが張り出して広い面積を専有することになって邪魔となるばかりでなく、伸縮マスト１２の上端に取りつけられているこれらの部材が他の機器や建物の梁などに接触する虞があり、故障の原因となる。このため、使用していない状態のときはランプ傘１０３、１０４、１１３、１１４を小さく折り畳むことが望ましい。この照明装置では、各ランプ傘１０３、１０４、１１３、１１４をそれぞれ折り畳むことにより、最小の容積となるように変動させることができる。
【００５７】
図１１で示すように、各ランプ傘１０３、１０４は三次元に回動できる機構で支持されている。すなわち、横支持棒９６に対して回動ジョイント９８は、挿入部１２１と連通穴１２２の摺動により垂直方向に回転することができ、回動ジョイント９８に対してランプ支持棒１０１、１０２は、挿入突起１２３、１２４と結合穴１２８、１３８の摺動により回転することができる。そして、ランプ支持棒１０１、１０２に対してランプ傘１０３、１０４は、回動穴１２９、１３９と保持突起１３０、１４０の摺動により回転することができる。このため、先ず、図１０で示すように、ランプ傘１０３、１０４、１１３、１１４が前方を向いた状態から、ランプ傘１０３、１０４を回動ジョイント９８を中心にして図１０中Ｅ方向に開動させ、ランプ傘１１３、１１４を回動ジョイント９９を中心にして図１０中Ｆ方向に開動させる。すると、やや垂直に位置していた各ランプ支持棒１０１、１０２、１１１、１１２が水平に位置される。
【００５８】
次いで、図１２で示すように、ランプ支持棒１０１を回動ジョイント９８に対して図１２中Ｇ方向に開動させ、ランプ支持棒１０２を回動ジョイント９８に対して図１２中Ｈ方向に開動させる。すると、ランプ支持棒１０１、１０２と共にランプ傘１０３、１０４も回動し、各ランプ傘１０３、１０４のお碗状をした開口部が第四マスト４４の方向に向けられる。同様に、ランプ支持棒１１１を回動ジョイント９８に対して図１２中Ｊ方向に開動させ、ランプ支持棒１１２を回動ジョイント９９に対して図１２中Ｋ方向に開動させる。すると、ランプ支持棒１１１、１０２と共にランプ傘１１３、１１４も回動し、各ランプ傘１１３、１１４のお碗状をした開口部が第四マスト４４の方向に向けられる。このようにして、図１０におけるようにランプ傘１０３、１０４、１１３、１１４が平面状に左右に広げられて配置されている状態から、図１２で示すようにランプ傘１１３、１１４、１１３、１１４がそれぞれの開口部を対向させるようにして下側に折り畳まれられ、ランプ傘１１３、１１４、１１３、１１４全体が占める容積を小さくさせることができる。このようにして、ランプ傘１１３、１１４、１１３、１１４を折り畳んだならば、作業員がハンドル４７を前述とは逆方向に回転することで伸縮マスト１２の長さを縮小させる。このようにして、投光部１３を小さく折り畳み、伸縮マスト１２を縮小させた状態が図１３、図１４で示される。
【００５９】
この照明装置を運搬する際には、トラックや台車に載置して移動させることになる。この運搬作業において、照明装置は重量があるため、クレーンによってトラックや台車に吊上げることになる。この吊り上げの作用について説明する。
【００６０】
図１３は、車体１１に発電機１４を組み合わせた状態の照明装置を吊上げている様子を示すものである。クレーンから吊り下げられたフック１４５にはワイヤー１４６の上端が引っ掛けてあり、ワイヤー１４６の下端は吊下げ杆５１の先端に開口したワイヤー穴５２に玉掛けしてある。このワイヤー穴５２の開口位置は、車体１１に発電機１４を組み合わせた状態の時の重心位置がそこになるように設定してある。この図１３で示す状態でフック１４５を引き上げるとワイヤー１４６も上方に引き上げられ、ワイヤー１４６は吊下げ杆５１を仲介として照明装置全体を引き上げることができる。車体１１と発電機１４の重心位置は、重量のある発電機１４に合わせて車体１１のやや中央に位置させてあるため、照明装置全体は水平を維持したままで吊り上げられ、トラックや台車の荷台などに持ち上げることができる。
【００６１】
また、車体１１から発電機１４を取り外した状態の照明装置を吊り上げる作用について説明する。図１４では車体１１から発電機１４を取り外してあり、発電機１４が無くなったため照明装置の重心位置は車体１１の中心から伸縮マスト１２側に偏位している。この状態で照明装置を吊り上げるには、吊り金具５３によって半円形に形成した空間にワイヤー１４６の下端を玉掛けする。この状態でクレーンのフック１４５を引き上げるとワイヤー１４６も吊り上げられ、ワイヤー１４６は吊り金具５３を介して照明装置を吊り上げることができる。この場合においては、吊り金具５３の位置は伸縮マスト１２に接近して、車体１１の中心から図１４中で右側に偏位した位置にあり、照明装置全体の重心に配置してある。このため、吊り金具５３を吊り上げると、照明装置全体は水平を維持したままで吊り上げられ、トラックや台車の荷台などに持ち上げることができる。
【００６２】
【発明の効果】
本願の発明は上述のように構成したので、照明装置に設置した伸縮マストの上端には投光部を配置し、投光部には複数のランプを設けてある。各ランプは伸縮マストに対して三次元の方向に回動できるように保持してあるため、各ランプの照射方向を自由に変更することができる。そして、各ランプを使用する際には、各ランプの開口をそれぞれ照射する方向に向けることができるので、照明を必要とする場所に光を集中させることができる。また、照明装置を収納する際には、各ランプの開口部を伸縮マストの方向に向けて折り畳むことができるので、広い面積で広げていた各ランプを縮小してその容積を小さくすることができる。このため、照明装置の保管や移動の際に高さおよび容積を小さくさせることができ、収納作業を容易にすることができる。また、衝撃力に弱いランプを小さく折り畳むことにより、移動や収納の作業において、ランプを建物の梁や他の障害物に接触させることを防ぎ、ランプが変形したり、破損することを防止することができる。
【００６３】
このランプを支持する機構では、伸縮マストの頂部より水平方向に横支持棒を張り出し、横支持棒の先端にはその軸線と直角となるようにランプ支持棒を連結し、ランプ支持棒の先端部の側面にランプ傘をその軸線と直角となるように連結し、ランプ傘の内部にランプを収納してある。そして、ランプ支持棒は横支持棒に対してその周方向に回転自在で、かつ、ランプ支持棒の軸線方向に回転自在となるように連結してあり、ランプ傘はランプ支持棒の周方向に回転自在に連結してある。この構成のため、ランプを収納したランプ傘は三次元方向に自在に回動させることができ、ランプ傘の開口部を自由に目的とする方向に向けることができる。
【００６４】
また、ランプ傘とランプは、伸縮マストの頂部の左右にそれぞれ２個づつ、合計４個を配置してあり、広い面積にランプ傘を拡大することができ、左右のバランスを良好にすることができる。そして、ランプ傘を収納する際には、対向する反対側のランプ傘の開口部を向き合うようにして折り畳むことができ、投光部全体の容積を極めて小さくすることができる。
【００６５】
投光部を支持し、上下動させるための伸縮マストは、複数の外径の異なるマストをテレスコピック状に組み合わせてあり、内部のマストはその断面形状を凹形状にして外部からは閉鎖した形状としてある。周囲からは閉鎖した構造のため、側面からの応力に対して強くなり、衝撃に対して耐久力を持つものである。また、周囲が閉鎖されているため、伸縮マストの内部に塵埃が侵入せず、長期の使用においても故障が発生しにくくなる。
【００６６】
伸縮マストを上下に伸縮させるためには、前後段のマストの間にチェーンを張り渡し、チェーンの引っ張りの動作により連動させることができる。このチェーンは各マストの長さ方向に沿って溝状に凹ませた空間内に収納させてあり、チェーンが外部に露出せず、チェーンが他の機器などに接触することがなくなる。また、マスト全体の断面積が外側に向かって大きくならず、伸縮マストの外径を最大径のマストの太さと同一の太さに設定することができる。
【００６７】
この照明装置は重量があるため、クレーンからのワイヤーで吊り下げて搬送しなければならないが、照明装置にはクレーンで吊り上げるための２つの係合部を形成してある。車体の上面に垂直に設けた伸縮マストの上部には水平に吊り下げ杆を固定してあり、吊り下げ杆の先端と伸縮マスト側にはそれぞれ係合部を形成してある。車体に発電機を組み合わせた状態では、吊り下げ杆の先端に形成した係合部にワイヤーを引っかけて吊上げることができる。先端の係合部では照明装置の中心に位置しており、重量のある発電機の重心位置と一致するため、照明装置は水平を保ちながら吊上げることができる。車体から発電機を取り外した状態の照明装置では、吊り下げ杆の伸縮マスト側に形成した係合部にワイヤーを引っかけて吊上げることができる。車体の側面に偏位して伸縮マストなどが配置されているため、伸縮マスト側に接近した位置に重心が偏位するため、この位置であれば発電機を取り外した状態での重心位置と一致することになり、照明装置の水平を保ちながら吊上げることができる。
【図面の簡単な説明】
【図１】本願の発明の実施の形態における照明装置であって、発電機を取り外した車体を後方より見た斜視図である。
【図２】本願の発明の実施の形態における照明装置であって、発電機を組み合わせた状態を示す側面図である。
【図３】本願の発明の実施の形態における照明装置であって、発電機を取り外した状態を示す背面図である。
【図４】本願の発明の実施の形態における照明装置であって、発電機を取り外した車体の前方をしめす部分斜視図である。
【図５】本願の発明の実施の形態における照明装置に使用している伸縮マストの断面を示し、図６中ＡーＡ矢視に対応する断面図である。
【図６】本願の発明の実施の形態における照明装置に使用している伸縮マストの後部を示す背面図である。
【図７】本願の発明の実施の形態における照明装置に使用している伸縮マストを縦方向に切断し、図６中ＢーＢ矢視に対応する縦断面図である。
【図８】本願の発明の実施の形態における照明装置に使用している伸縮マストの伸縮機構を模示的に示す説明図である。
【図９】本願の発明の実施の形態における照明装置に使用している伸縮マストを構成する各マストの構造を示す説明図である。
【図１０】本願の発明の実施の形態における照明装置に使用している投光部の各ランプ傘を開いた状態で構成を示す斜視図である。
【図１１】本願の発明の実施の形態における照明装置に使用している投光部の左側の構成を示すために各部材を分解して示す分解斜視図である。
【図１２】本願の発明の実施の形態における照明装置に使用している投光部の各ランプ傘を閉じた状態を示す斜視図である。
【図１３】本願の発明の実施の形態における照明装置であって、車体と発電機を組み合わせた状態で吊り上げる動作を示す側面図である。
【図１４】本願の発明の実施の形態における照明装置であって、車体のみを吊り上げる動作を示す側面図である。
１１  車体
１２  伸縮マスト
１３  投光部
１４  発電機
４１  第一マスト
４２  第二マスト
４３  第三マスト
４４  第四マスト
４６  ギアボックス
６５  作動パネル
６６  作動パネル
６７  作動パネル
７６  チェーン
７９  チェーン
８３  チェーン
１０３  ランプ傘
１０４  ランプ傘
１０５  ランプ
１０６  ランプ
１１３  ランプ傘
１１４  ランプ傘
１１５  ランプ
１１６  ランプ
【図１】
0004129778.tif 000002
【図２】
0004129778.tif 000003
【図３】
0004129778.tif 000004
【図４】
0004129778.tif 000005
【図５】
0004129778.tif 000006
【図６】
0004129778.tif 000007
【図７】
0004129778.tif 000008
【図８】
0004129778.tif 000009
【図９】
0004129778.tif 000010
【図１０】
0004129778.tif 000011
【図１１】
0004129778.tif 000012
【図１２】
0004129778.tif 000013
【図１３】
0004129778.tif 000014
【図１４】
0004129778.tif 000015